(57)【要約】【課題】簡易な構造でありながら水流の攪拌状態を得ると共に、活水機能の向上又は変更にも設置現場で対応可能な活水装置を得る活水モジュール、及びこれを組み合わせた活水モジュール管、並びにこれらを用いた活水装置を提供する。【解決手段】活水モジュールを、活水機能を発揮する鉱物を樹脂基材に混合させて殻体状に成形し、かつ側面に凸条及び側面を貫通する開口を開設して構成する。この活水モジュールは管状体を母線に沿って複数個に分割して得る１の分割片の形態である。活水モジュール管は、この活水モジュールの複数個を互いに適合する分割端面どうしを接合させて管体状に構成する。活水装置は、上記構成の活水モジュールを接合して構成する活水モジュール管を管路内に配置して構成する。活水モジュール管は、管路内に略同軸上、かつその外周側と管路内面壁との間に所定の間隙を設けて配置する。【選択図】      図１
2008044264.tif 000002
【特許請求の範囲】
【請求項１】
活水機能を発揮する１種又は２種以上の鉱物を樹脂基材に混合させて成形し、管路内に配設して管路流を活水化させるモジュール（５）であって、
該モジュール（５）は殻体状に成し、その片面又は両面には流れを乱す突起又は凸条（５３）を形成し、かつ両面を貫通する１又は２以上の開口（５２）を開設してなることを特徴とする活水モジュール。
【請求項２】
活水モジュール（５）の形態を、両端開放の管状体を母線に沿って複数個に分割して得られる１の分割片の形態としたことを特徴とする請求項１記載の活水モジュール。
【請求項３】
請求項２記載の活水モジュール（５）の複数個を、互いに適合する分割端面（５１）どうしを接合させて管体状に形成したことを特徴とする活水モジュール管。
【請求項４】
樹脂基材に混合させる鉱物の配合割合を変えた異種の活水モジュール（５）を形成し、これら異なる活水モジュール（５）どうしを組み合わせて接合させたことを特徴とする請求項３記載の活水モジュール管。
【請求項５】
活水モジュール管（４）の両端部を互いに連結し得る構造としたことを特徴とする請求項３、又は４記載の活水モジュール管。
【請求項６】
凸条（５３）の形成において、管体状に構成した場合に、管体側面を周回するリング状となる凸条（５３）を軸方向へ所定間隔で繰り返し形成して成ることを特徴とする請求項１、２、３、４、又は５記載の活水モジュール又は活水モジュール管。
【請求項７】
前記活水モジュール（５）又は前記活水モジュール管（４）の何れか又は両方を管路内に配置して成ることを特徴とする活水装置。
【請求項８】
前記活水モジュール管（４）を、管路内の略同軸上に、かつその外周側と管路内面壁（２１）との間に所定の間隙を設けて複数個を連結させて又は１個を配置したことを特徴とする請求項７記載の活水装置。
【請求項９】
前記活水モジュール管（４）の複数本を並列に束ねた状態で管路内に配置したことを特徴とする請求項７、又は８記載の活水装置。
【請求項１０】
請求項７記載の活水装置において、配置した活水モジュール管（４）内に、さらに活水モジュール（５）の単体若しくは複数個を、又は活水モジュール管（４）の単体若しくは複数個を配置したことを特徴とする活水装置。
【発明の詳細な説明】
【技術分野】
【０００１】
本願発明は、上水、中水、下水、洗浄水、等の流体と接触して活水させる部材である活水モジュール、及びこれを組み合わせて管体状に組み合わせた活水モジュール管、並びにこれらを管路内に配置して流体を活性化させる活水装置に関する。
【背景技術】
【０００２】
山間部に降った雨や積雪が地中に浸透した地下水は、やがて湧き水となり川の源流を形成する。この過程において、この水は鉱物や岩石からの遠赤外線やマイナスイオン作用、磁気作用により水分子の水素結合集団（クラスタ）が細分化されたり、岩への衝突や滝からの落下などの水分子同士の摩擦から生じた電子を受け取り還元性の水、すなわち活水となる。この活水は、管内の錆やスラッジの発生防止、植物や野菜の成長促進、人や動物の健康増進に有効であることが経験的に知られている。【０００３】
しかし、この活水の活水状態はそれほど長期間維持されずに、この活水による種々の効果は徐々に失われていくものである。このため、従来から上記の活水作用の原理を応用して、内部空間にセラミック片を配置したり、又は磁場を形成したりするなどし、これに通水させると共に攪拌させて水流の摩擦を得ることにより、活水効果を失った水道水を再度活水化させる装置（以下、「活水装置」と称する。）が実用化されていた。【０００４】
例えば、特許文献１には、水道水の通水管等に介在可能な筒体内に、流通小孔を形成した近似遠赤外線放射セラミック盤群を回転自在にかつ多層状に配置し、この各セラミック盤をその盤上に形成した衝当羽により回転させる活水装置が開示されている。（特許文献１参照。）。【０００５】
他にも、特許文献１の発明と同様に水道水の通水管等に介在可能なパイプ内に、水流によって軸回転する螺旋体を配置し、この螺旋体の間隙に活水材から構成したセラミック片を充填する構成の活水装置が開示されている。（例えば、特許文献２参照。）。
【特許文献１】特開２０００−１０７７５２（第２−３頁、第１図）
【特許文献２】特開平１１−４７７３６（第２−３頁、第１図）
【発明の開示】
【発明が解決しようとする課題】
【０００６】
しかしながら、従来の活水装置は、流路内で攪拌作用を促す等して高い活水化状態を得るために、活水装置の流路内において回転しつつ攪拌機能を得る、特許文献１であるならセラミック盤や衝当羽、特許文献２であるなら螺旋体、を配置したり、セラミック片を充填しており、内部構造が複雑化する傾向があった。【０００７】
かかる内部構造が複雑化した活水装置は、装置製造の部品の形成や組立行程が増加することとなって製造コスト増加し、これが大きな問題となっていた。また、活水装置の設置後においても、回転機能の維持、セラミック片どうしの接触による摩耗等を保守（点検、部品交換、セラミック片の交換や補充）する必要があり、ランニングコストも増加していた。さらには、設置現場にて大幅な活水機能の向上を図る等の仕様変更を望む場合には、セラミック盤を増加、螺旋体を変更、セラミック片の増量等、と内部構造を大きく変更する必要があるため、その対応はほとんど不可能であり、別仕様の活水装置を改めて用意する必要があった。【０００８】
そこで、本願発明はこのような事情に鑑みてなされたものであり、簡易な構造でありながら、活水のための水流の攪拌状態を得ると共に、活水機能の向上又は変更にも設置現場であっても柔軟に対応可能な活水装置を得ることができる活水モジュール、及びこれを組み合わせた活水モジュール管、並びにこれらを用いた活水装置を提供する。
【課題を解決するための手段】
【０００９】
上記課題を解決するため、本願発明にかかる活水モジュール、及びこれを組み合わせた活水モジュール管は、以下のように構成をしている。【００１０】
活水モジュール（５）は、活水機能を発揮する１種又は２種以上の鉱物を樹脂基材に混合させて成形し、管路内に配設して管路流を活水化させるものであって、殻体状に成し、かつその片面又は両面には流れを乱す突起又は凸条（５３）を形成すると共に、両面を貫通する１又は２以上の開口（５２）を開設して成ることを基本的な構成としている。【００１１】
この活水モジュール（５）の一形態としては、両端開放の管状体を母線に沿って複数個に分割して得られる１の分割片の形態としている。この形態のままの仕様で使用することも可能であるが、この分割片を呈した形態の活水モジュール（５）の複数個を、互いに適合する分割端面（５１）どうしを接合させて管体状に構成した活水モジュール管（４）を形成しても良い。【００１２】
上記活水モジュール（５）は樹脂基材に混合させる鉱物の割合を変えた２種以上に形成しても良く、そして、これらをそれぞれ単独で使用しても良いが、互いに適合する分割端面（５１）どうしを接合して、異種どうしの活水モジュール（５）の組み合わせから成る活水モジュール管（４）としても良い。【００１３】
上記構成の活水モジュール管（４）の両端部は、長さ方向に複数個を連結すること考慮して、互い連結し得る構造に形成しても良い。【００１４】
上記活水モジュール（５）に連続して形成する峰状の突起又は凸条（５３）は、管体状を構成した場合に管体側面を周回するリング状となり、かつ軸方向へ所定間隔で繰り返し形成して成ることを特徴としている。別観点から言うと、蛇腹状に、又は管軸方向の切断面が繰り返し波状を呈するように形成している。【００１５】
次に、本願発明にかかる活水装置（１）は、上記構成の活水モジュール（５）又は活水モジュール管（４）を管路内に配置して成ることを基本的構成としている。活水モジュール管（４）として配置する場合は、管路内に略同軸上、かつその外周側と管路内面壁（２１）との間に所定の間隙を設けて複数個を連結させて又は１個を配置する構成としている。【００１６】
また、活水モジュール管（４）の配置においては、複数本を並列に束ねた状態で管路内に配置しても良い。【００１７】
さらに別構成としては、管路内に配置した活水モジュール管（４）の内部に、さらに活水モジュール（５）の単体若しくは複数個を、又は活水モジュール管（４）の単体若しくは複数個を配置しても良い。活水モジュール管（４）の内部に配置（内設）する複数個の活水モジュール管（４）を、同軸上に配置したいわゆる多重管状の構成としても良く、また内設する活水モジュール（５）を並列に束ねた状態で配置しても良い。【００１８】
なお、上記の課題を解決するための手段の欄と下記の請求の範囲で記載した括弧付き符号は、発明の構成の理解を容易にするため参考として図面符号を付記したものであり、本願発明の構成を添付した図面上の形態に限定するものでないことを、念のため申し添える。
【発明の効果】
【００１９】
本願発明の活水モジュール及び活水モジュール管は、上記構成により、以下の効果を奏する。
これらを上水、中水、下水、洗浄水、又は液体燃料やガス体、等の流体の流れ中に配置すると、樹脂基材に混合した鉱物が放射するイオン線、磁力線、遠赤外線、各種の微量放射線、などの単独作用、又は複合相乗作用によって流体を活水化させることができる。活水モジュールを殻体状に形成すると共に、その片面又は両面には流れを乱す突起又は凸条を形成しているため、表面に沿った流れを乱して攪拌させて流体粒子の活水モジュールへの接触を頻発にして活水化作用を促進させることができる。両面を貫通させた開口を形成しているため、撹拌された流体が開口を通過して両面間で流通してより活発な撹拌接触が起こって高効率の活水化を図ることができる。【００２０】
また、活水モジュールの形態を、両端開放の管状体を母線に沿って複数個に分割して得られる１の分割片の形態とすることにより、互いに適合する分割端面どうしを接合させて管体状に形成することができる。この管体状とすることにより、管路に沿った適格な配置をすることができる。【００２１】
次に、これら活水モジュール又は活水モジュール管を用いた活水装置は、内部に管状体及び管分割片を配置する構造であるため、既存の配管路内への配置も可能な上、その構造は従来装置と比較しても非常に簡略化されているものである。加えて、この活水装置は、活水モジュール又は活水モジュール管が１回の型成形によって大量に製造することができるために製造コストが安価となり、かつ簡易構造であるため破損等の少ない保守管理性に優れたものとすることができる。【００２２】
また、活水モジュールの形態を、管状体を母線に沿って複数個に分割して得られる１の分割片の形態にした場合は、これらを互いに適合させた分割端面どうしを接合して、円形、楕円形、矩形の断面をもった管状体となる活水モジュール管に構成することも可能である。【００２３】
この活水モジュール管は、樹脂基材に混合させる鉱物の配合割合を変えた異種の活水モジュールを形成して、これら異種同士を接合して管状体に構成することにより、異なる流体に広く対応できる活水化機能を奏することができる。【００２４】
また、活水モジュール管の両端部を互いに連結可能な連結構造とすることより、長い管路において適宜の設置延長と異種管の活水モジュールの組み合わせとが相俟ってより効率的な活水化を図ることができる。【００２５】
さらにまた、上記構成の活水モジュール管を、活水装置の外周側の外套管と間隙を設けて配管の略同軸上に配置することにより、活水モジュール管の内外側の間で流体粒子の流通交換が起きるため、より活発な活水モジュール表面との接触とが生じ、活水化をより促進する。【００２６】
上記構成に加えて、管路内に外形サイズの異なる活水モジュール管の複数本を並列に束ねた状態や分割片の形態で配置することも可能であり、活水装置の活水化機能を設置現場でも柔軟にかつ大幅に変更することができる。また、配置した活水モジュール管内に、さらに活水モジュールの単体若しくは複数個を、又は活水モジュール管の単体若しくは複数個を配置可能としているため、活水化処理機能の向上または変更を迅速に行うことができる。
【発明を実施するための最良の形態】
【００２７】
以下、本願発明に係る活水モジュール（以下、「モジュール」と略称する。）、これを組み合わせた活水モジュール管（以下、「モジュール管」と略称する。）、並びにこれらを用いた活水装置（以下、「本装置」と略称する。）に関し、これらの具体的実施形態例について図面に基づき詳細に説明する。【００２８】
図１は本装置の一部切り欠き斜視図であり、図２はモジュール及びモジュール管を示す斜視図であり、図３はモジュール及びモジュール管を示す断面図であり、図４は本装置の変更例を示す横断面図であり、図５は本装置の作用説明図である。【００２９】
図面符号１で示す本装置は、管路を構成する円筒状の外套管２と、該外套管２の内側に配置して管路流を活水化させる、いわゆる活水材として機能するモジュール５と、外套管２の両端部に取付けて本装置１を既存の配管に直列に接続するための接続管３と、から構成している。本装置１のモジュール５は、適合する分割端面５１どうしを接合して管体状のモジュール管４を成し、外套管２と略同軸上に配置している。本装置１は、通常は、上水、中水、下水、洗浄水、又は液体燃料やガス体、等の流体供給管の途中に直列又は並列にして配置するものであり、その接続箇所は一カ所又は複数カ所を問わない。【００３０】
なお、以下に説明のする本実施形態例は、飲料水となる上水の通水管ｐの管路中に配置する場合であり、地中埋設又は建家内の露出した配管路の途中に設置した場合として説明する。【００３１】
外套管２は、金属、樹脂等の硬質材からなる直円筒状を成しており、その両端部は開放されて上記通水管ｐと直列に連結するための接続管３を水密状態で取り付けている。この接続管３の開放縁からの内周面には、通水管ｐと水密に螺合させるための雌ネジ３３を刻設している。接続管３は一方側が流入口３１、他方側が流出口３２として構成している。【００３２】
外套管２の内側へのモジュール管４の配置は、外套管２と略軸上に配置すると共に、モジュール管４の外側面と外套管２の内面壁２１との間に一定の間隙を形成している。また、１つの外套管２の内部に複数個のモジュール管４を直列に連結して配置するようにしても良い。【００３３】
モジュール５は、活水機能を発揮する１種又は２種以上の鉱物を樹脂基材に混合させて殻体状に成形している。本実施形態例のモジュール管４は、円筒体を母線に沿って２分割して得られる１の分割片の形態を１つのモジュール５とし、この２個のモジュール５の適合する分割端面５１どうしを当接嵌合させて円筒状（又は管体状）となるように形成（「筒体構成仕様」）したものである。【００３４】
モジュール５に含有させる鉱物としては、イオン線、磁力線、遠赤外線、各種の微量放射線を放射する物性を有するものであり、例えば、ブラックシリカ（黒鉛硅石）、黒曜石、麦飯石、トルマリンなどが挙げられる。そして、これらから選択される１種又は２種以上を適宜の割合で配合させてモジュール５を成形しており、イオン線、磁力線、遠赤外線、各種の微量放射線が単独で又は相乗して作用することにより上水を活水化させるものである。モジュール５の成形基材となる樹脂基材は、例えば、ナイロン、ウレタン、シリコン、等から選択して用いている。【００３５】
モジュール５の外観形態は、その分割端面５１の片側に、管延長方向に沿って複数個のピン状の突起５１ａを一定間隔で立設させており、並行する他方側にはこの突起５１ａと対応位置に嵌合凹部となる嵌合孔５１ｂを形成している。これらの突起５１ａ及び嵌合孔５１ｂの配置により、筒体構成仕様に形成した２個のモジュール５の分割端面５１どうしを当接させた場合に、対向して配置された一方側のモジュール５ａの突起５１ａと他方側のモジュール５ｂの嵌合孔５１ｂと気密に嵌合定着して管体状のモジュール管４を構成するようにしている。【００３６】
モジュール管４の内外側面には、管軸と略垂直面上を周回する環状の凸条５３を管延長方向（又は管軸方向）へ所定間隔で繰り返して形成している。外観を観ると、いわゆる蛇腹状を呈している。この構成により、繰り返し形成した凸条５３が上水の流れを乱して撹拌状態を引き起こしまたは活発化させ、これにより上水との接触面積を増やしてその活水化をより促進する。【００３７】
また、モジュール管４の外周側面には、内外側を貫通する複数個の開口５２を適宜の個数と位置に形成している。【００３８】
なお、上記凸条５３の形成は、内壁又は外壁のいずれか一方側のみに形成しても良いが、撹拌を活発化して内外側の上水の移動をより促進するために、内外壁の両面に凸条５３を形成する方が良い。【００３９】
さらに、モジュール５の両端部付近の外側周囲には、放射方向にピン状に突出した複数個のスペーサーピン５４を適宜の間隔（本実施例では円周４分割位置）で配設している。【００４０】
このスペーサーピン５４は、外套管２の内面壁２１とその先端を当接させることにより外套管２の内面壁２１とモジュール管４の外面壁との間に所定の空間（スペース）を確保するためのものである。このスペーサーピン５４で形成された環状の空間には上水の流れが生じ、かつここを流れる上水は上記開口５２を通って、内側を流れる上水と入れ替わって交流することとなる。【００４１】
モジュール５でモジュール管４を構成した場合、一端部側の内壁には帯状に周回した凹部からなる連結凹部５５を形成しており、他端部側の外壁には帯状に周回した凸部からなる連結凸部５６を形成している。この連結凹部５５及び連結凸部５６は、図３に示すように、２個以上のモジュール管４どうしを管延長方向への連結する場合に、互いに端部どうしを嵌合して定着させるためのものである。【００４２】
活水装置として機能させることを目的とした本装置１の実施形態例は、外套管２の内面壁２１と一定の離隔距離を持ってモジュール管４を外套管２の内部に略同軸上（又は略管軸上）に配置したものである。概観すると、二重管構造と言うことができる。【００４３】
なお、他の実施応用例としては、図４の（Ａ）に示すように、直径の小さいモジュール管４の複数本を並列状態で束ねた状態をもって、外套管２に配置したモジュール管４の内部に配置しても良く、これらの束を外套管２の内部に直接的に配置するようにしても良い。また、直径を種々に設定した異種モジュール管４を同軸状に配置する多重管構造、若しくはモジュール管４の束とモジュール管４の多重管構造を組み合わせた構成も可能である。さらには、モジュール管４のように管体状としてではなく、図４の（Ｂ）に示すように、モジュール管４の内部にモジュール５を管延長方向に沿って規則的にまたは不規則に束ねた状態で配置することも可能である。このような、モジュール５やモジュール管４の配置仕様を種々設定することにより、それだけ流体粒子は活発に撹拌してモジュールとの接触の機会が増え、上水の活水化がより図られることになる。【００４４】
上記形態のモジュール５及びモジュール管４は、本装置１の重要な部分を占める構成要素であり、それ自体が上水を活水化させる機能を発揮する機能性部材である。そのため、このモジュール５の形成において、樹脂基材に混合させる鉱物の配合割合を変えることにより、異なる機能を持たせた異種のモジュール５を形成することができる。これら異種モジュール５どうしを適宜に組み合わせて特定のモジュール管４を構成することも可能である。例えば、管の半割体状のモジュール５を異種のモジュール５として嵌合させてモジュール管４を形成し、これらを直列に複数個を連結するようにしても良い。また、上記した二重管構造を成すように配置したモジュール管４の内側に、異種のモジュール５又はモジュール管４を追加的に配置するようにしても良い。
［作用］【００４５】
上記構成のモジュール５及びモジュール管４を用いた本装置１は、以下のように作用する。
すなわち、接続管３の流入口３１から進入した上水（矢印ａ）は、外套管２の内部をモジュール管４の側壁の内外を撹拌流通しながら接続管３の流出口３２から流出する。この行程において、モジュール管４の内外側面に沿った流れは、繰り返し形成された凸条５３によって流れが乱されて撹拌が起きる。それと共に、上水の粒子は、モジュール管４の側面に形成した開口５２を通過してモジュール管４の内外を入れ替わり、多様な乱流状態（矢印ｂ）となってより広範な攪拌が起きることとなる。【００４６】
この攪拌状態となった上水は、モジュール管４の含有鉱物の放射線等による単独作用又は複合相乗作用を十分に受け、水分子の水素結合集団（クラスタ）が細分化されて高効率に活水化されることとなる。【００４７】
なお、活水化の度合いは、モジュール管４を構成する異種モジュール５の組み合わせの変更、モジュール管４の多重配置の増減、モジュール管４の内部へ配置するモジュール５の増減、等で適宜に調整可能である。
【図面の簡単な説明】
【００４８】
【図１】本装置の一部切り欠き斜視図である。
【図２】モジュール及びモジュール管を示す斜視図である。
【図３】モジュール及びモジュール管を示す断面図である。
【図４】本装置の変更例を示す横断面図である。
【図５】本装置の作用説明図である。
【符号の説明】
【００４９】
１  本装置
２  外套管
２１  内面壁
３  接続管
３１  流入口
３２  流出口
３３  雌ネジ
４  モジュール管
５  モジュール
５a  一方側のモジュール
５b  他方側のモジュール
５１  分割端面
５１ａ  突起
５１ｂ  嵌合孔
５２  開口
５３  凸条
５４  スペーサーピン
５５  連結凹部
５６  連結凸部
ｐ  通水管
【図１】
2008044264.tif 000003
【図２】
2008044264.tif 000004
【図３】
2008044264.tif 000005
【図４】
2008044264.tif 000006
【図５】
2008044264.tif 000007
【国際調査報告】
2008044264.tif 000008
2008044264.tif 000009
2008044264.tif 000010
2008044264.tif 000011
2008044264.tif 000012
2008044264.tif 000013
2008044264.tif 000014
2008044264.tif 000015